(57)【要約】【課題】屋根の上に設置される除雪装置において、雪を複数の方向に掻き分け可能とする。【解決手段】回転軸周りにブレードが螺旋状に設けられたスクリューと、当該スクリューを回転駆動させる駆動機構とを備え、屋根に設置される除雪装置であって、上記スクリューは、上記ブレードが右回りに巻回された第１領域と、上記ブレードが左回りに巻回された第２領域とを有する。【選択図】図１
2015017377.tif 000002
【特許請求の範囲】
【請求項１】
回転軸周りにブレードが螺旋状に設けられたスクリューと、当該スクリューを回転駆動させる駆動機構とを備え、屋根に設置される除雪装置であって、
前記スクリューは、前記ブレードが右回りに巻回された第１領域と、前記ブレードが左回りに巻回された第２領域とを有することを特徴とする除雪装置。
【請求項２】
前記駆動機構は、
前記スクリューを移動させる動力を発生するモータと、
前記モータの動力によって前記スクリューを回転させる回転駆動部と、
前記モータの動力によって前記スクリューを前記屋根の頂部から軒に向けて直動させる直動駆動部と
を備えることを特徴とする請求項１記載の除雪装置。
【請求項３】
前記スクリューよりも前記屋根の頂部寄りに配置され、前記スクリューと一緒に前記直動駆動部によって移動されることで前記屋根上の雪を軒に向けて押し出す押出部を備えることを特徴とする請求項２記載の除雪装置。
【請求項４】
前記押出部の底部に取り付けられ、先端が前記スクリューの下方かつ軒側に向けて張り出された板部材を備えることを特徴とする請求項３記載の除雪装置。
【発明の詳細な説明】
【技術分野】
【０００１】
本発明は、除雪装置に関するものである。
【背景技術】
【０００２】
積雪の多い地域では、家屋の屋根に積もった雪を住人や業者が屋根に上がり、スコップ等の道具を使って下している。このような雪下ろしの作業は、重労働である上に高所作業となる。このような雪下ろし作業を簡単に行うために、多くの雪下ろしの装置が提案されている。
【０００３】
例えば、特許文献１には、回転軸に対して螺旋状の除雪ブレードを取り付け、回転軸と一緒に除雪ブレードを回転させることで、雪を屋根から移動させる除雪装置が記載されている。このような除雪装置を用いることにより、作業者が屋根に上らなくても雪下ろしを行うことができる。
【先行技術文献】
【特許文献】
【０００４】
【特許文献１】特開２０１２−１７２３３５号公報
【発明の概要】
【発明が解決しようとする課題】
【０００５】
しかしながら、特許文献１の除雪装置では、同一方向に巻回れたブレードが回転軸の全長に亘って設けられている。このため、回転軸に沿って雪が常に一方向のみに移動され、屋根に積雪した雪が屋根の片側のみに溜ることになる。このように、従来の除雪装置では、屋根の上において、雪を複数の方向に掻き分けることができなかった。
【０００６】
本発明は、上述する問題点に鑑みてなされたもので、屋根の上に設置される除雪装置において、雪を複数の方向に掻き分け可能とすることを目的とする。
【課題を解決するための手段】
【０００７】
本発明は、上記課題を解決するための手段として、以下の構成を採用する。
【０００８】
第１の発明は、回転軸周りにブレードが螺旋状に設けられたスクリューと、当該スクリューを回転駆動させる駆動機構とを備え、屋根に設置される除雪装置であって、上記スクリューは、上記ブレードが右回りに巻回された第１領域と、上記ブレードが左回りに巻回された第２領域とを有するという構成を採用する。
【０００９】
第２の発明は、上記第１の発明において、上記駆動機構が、上記スクリューを移動させる動力を発生するモータと、上記モータの動力によって上記スクリューを回転させる回転駆動部と、上記モータの動力によって上記スクリューを上記屋根の頂部から軒に向けて直動させる直動駆動部とを備えるという構成を採用する。
【００１０】
第３の発明は、上記第２の発明において、上記スクリューよりも上記屋根の頂部寄りに配置され、上記スクリューと一緒に上記直動駆動部によって移動されることで上記屋根上の雪を軒に向けて押し出す押出部を備えるという構成を採用する。
【００１１】
第４の発明は、上記第３の発明において、上記押出部の底部に取り付けられ、先端が上記スクリューの下方かつ軒側に向けて張り出された板部材を備えるという構成を採用する。
【発明の効果】
【００１２】
本発明によれば、回転駆動されるスクリューが、螺旋状のブレードの巻き方向が異なる第１領域と第２領域とを備えている。このため、スクリューを回転させたときに、スクリューの第１領域において雪が移動される方向と、スクリューの第２領域において雪が移動される方向とが反対方向となる。したがって、本発明によれば、屋根の上に設置される除雪装置において、雪を複数の方向に掻き分けることが可能となる。
【図面の簡単な説明】
【００１３】
【図１】本発明の一実施形態における除雪装置の全体斜視図である。
【図２】本発明の一実施形態における除雪装置が備えるスクリューの正面図である。
【図３】本発明の一実施形態における除雪装置が備える駆動機構の右側ユニットの斜視図である。
【図４】本発明の一実施形態における除雪装置が備える駆動機構の左側ユニットの斜視図である。
【図５】本発明の一実施形態における除雪装置が備えるガイド部の側面を示す模式図である。
【発明を実施するための形態】
【００１４】
以下、図面を参照して、本発明に係る除雪装置の一実施形態について説明する。なお、以下の図面において、各部材を認識可能な大きさとするために、各部材の縮尺を適宜変更している。
【００１５】
図１は、屋根Ｙに取り付けられた本実施形態の除雪装置１の全体斜視図である。この図に示すように、本実施形態の除雪装置１は、スクリュー２と、駆動機構３と、ガイド部４とを備えている。このような本実施形態の除雪装置１は、例えば、民家の屋根に取り付けられており、屋根に積雪したときに雪下ろしを行うものである。
【００１６】
図２は、スクリュー２の正面図である。この図に示すように、本実施形態においては、回転軸２ａと、左側ブレード２ｂ（ブレード）と、右側ブレード２ｃ（ブレード）とから構成されている。回転軸２ａは、図１に示すように、軸方向が水平かつ屋根Ｙの上面と平行となるように配置されており、駆動機構３と接続されている。この回転軸２ａは、駆動機構３によって回転駆動されると共に、屋根Ｙの頂部から軒に向けて移動される。
【００１７】
スクリュー２は、図２に示すように、左側領域Ｒａ（第１領域）と右側領域Ｒｂ（第２領域）とに軸方向に二等分されている。左側ブレード２ｂは、左側領域Ｒａに設けられるブレードであり、回転軸２ａに対して螺旋状に巻回されている。右側ブレード２ｃは、右側領域Ｒｂに設けられるブレードであり、回転軸２ａに対して螺旋状に巻回されている。
【００１８】
ここで、本実施形態においては、左側ブレード２ｂは、図１の左側から見て、軸方向右側に向けて右回りに巻回されている。一方、右側ブレード２ｃは、図１の左側から見て、軸方向右側に向けて左回りに巻回されている。つまり、本実施形態においては、スクリュー２の左側領域Ｒａに設けられた左側ブレード２ｂと、スクリュー２の右側領域Ｒｂに設けられた右側ブレード２ｃとが逆方向に巻回されている。
【００１９】
このようなスクリュー２は、回転軸２ａが一方向（図１の左側から見て右方向）に回転される。このとき、左側領域Ｒａの左側ブレード２ｂと、右側領域Ｒｂの右側ブレード２ｃとが逆方向に巻回されていることから、左側領域Ｒａでの雪の搬送方向は図１の左側に向かう方向となり、右側領域Ｒｂでの雪の搬送方向は図１の右側に向かう方向となる。
【００２０】
駆動機構３は、左側ユニット３ａと、右側ユニット３ｂと、これらの左側ユニット３ａと右側ユニット３ｂとを接続するシャフト３ｃとを備えている。図３は、左側ユニット３ａが備えるカバー３ａ５の内部構造を示す斜視図である。この図に示すように、左側ユニット３ａは、モータ３ａ１と、直動駆動部３ａ２と、ギアボックス３ａ３と、回転駆動部３ａ４と、カバー３ａ５と、軸受部３ａ６とを備えている。
【００２１】
モータ３ａ１は、例えばギヤードモータからなり、カバー３ａ５の外部に配置されている。このモータ３ａ１は、不図示の電源から電力が供給されることによってスクリュー２を回転及び直線移動させるための動力を発生する。
【００２２】
直動駆動部３ａ２は、図３に示すように、屋根Ｙの頂部近傍に設置されると共にモータ３ａ１の出力軸に直結されるスプロケット１１と、屋根Ｙの軒近傍に設置されるスプロケット１２と、これらのスプロケット１１及びスプロケット１２に回し掛けられた駆動ベルト１３と、駆動ベルト１３に固定されると共にスクリュー２の回転軸２ａを軸支する軸支部１４とを備えている。
【００２３】
このような直動駆動部３ａ２では、モータ３ａ１から動力が伝達されてスプロケット１１が回転駆動されると、駆動ベルト１３がスプロケット１１及びスプロケット１２に回し掛けられた状態で回転され、軸支部１４が屋根Ｙの頂部と軒との繋ぐ方向に移動される。これによって軸支部１４に回転軸２ａが軸支されたスクリュー２が屋根Ｙの頂部と軒との繋ぐ方向に屋根Ｙの上面に沿って昇降される。このような直動駆動部３ａ２は、雪下ろしを行うときに、モータ３ａ１の動力によって、スクリュー２を屋根Ｙの頂部から軒に向けて直動させる。
【００２４】
ギアボックス３ａ３は、モータ３ａ１の出力軸とシャフト３ｃとを接続し、モータ３ａ１から出力される回転動力を反対回りの回転動力としてシャフト３ｃに伝達する。例えば、スクリュー２を屋根Ｙの頂部から軒に向けて移動させる場合には、図３の左側から見てモータ３ａ１の回転方向は左回りとなる。このため、ギアボックス３ａ３は、モータ３ａ１の回転動力を右回りにしてシャフト３ｃに伝達する。
【００２５】
回転駆動部３ａ４は、図３に示すように、屋根Ｙの頂部近傍に設置されると共にシャフト３ｃに固定されるスプロケット１５と、屋根Ｙの軒近傍に設置されるスプロケット１６と、スプロケット１５及びスプロケット１６に回し掛けられた無端ベルト状のラックギア１７と、スクリュー２の回転軸２ａに固定されると共にラックギア１７と噛合するピニオン１８とを備えている。
【００２６】
このような回転駆動部３ａ４では、ギアボックス３ａ３を介してモータ３ａ１の動力が伝達されてスプロケット１５が回転駆動されると、ラックギア１７がスプロケット１５及びスプロケット１６に回し掛けられた状態で回転され、ピニオン１８が回転駆動される。これによってピニオン１８が固定された回転軸２ａが回転駆動され、スクリュー２が回転される。
【００２７】
カバー３ａ５は、直動駆動部３ａ２、ギアボックス３ａ３及び回転駆動部３ａ４を覆っており、スクリュー２が移動可能なように、屋根Ｙの頂部から軒に向けて延びるスリットを有している。軸受部３ａ６は、直動駆動部３ａ２のスプロケット１２と、回転駆動部３ａ４のスプロケット１６とを軸支している。
【００２８】
図４は、右側ユニット３ｂが備えるカバー３ｂ５の内部構造を示す斜視図である。この図に示すように、右側ユニット３ｂは、軸受部３ｂ１と、直動駆動部３ｂ２と、ギアボックス３ｂ３と、回転駆動部３ｂ４と、カバー３ｂ５と、軸受部３ｂ６とを備えている。
【００２９】
軸受部３ｂ１は、カバー３ｂ５の外部に配置されている。この軸受部３ｂ１は、直動駆動部３ｂ２の後述のスプロケット２１を軸支している。
【００３０】
直動駆動部３ｂ２は、図４に示すように、屋根Ｙの頂部近傍に設置されると共に上記軸受部３ｂ１に直結されるスプロケット２１と、屋根Ｙの軒近傍に設置されるスプロケット２２と、これらのスプロケット２１及びスプロケット２２に回し掛けられた駆動ベルト２３と、駆動ベルト２３に固定されると共にスクリュー２の回転軸２ａを軸支する軸支部２４とを備えている。
【００３１】
このような直動駆動部３ｂ２では、モータ３ａ１から動力がシャフト３ｃを介して伝達されてスプロケット２１が回転駆動されると、駆動ベルト２３がスプロケット２１及びスプロケット２２に回し掛けられた状態で回転され、軸支部２４が屋根Ｙの頂部と軒との繋ぐ方向に移動される。これによって軸支部２４に回転軸２ａが軸支されたスクリュー２が屋根Ｙの頂部と軒との繋ぐ方向に屋根Ｙの上面に沿って昇降される。このような直動駆動部３ｂ２は、雪下ろしを行うときに、モータ３ａ１の動力によって、スクリュー２を屋根Ｙの頂部から軒に向けて直動させる。
【００３２】
ギアボックス３ｂ３は、シャフト３ｃと直動駆動部３ｂ２のスプロケット２１とを接続し、シャフト３ｃから伝達される回転動力を反対回りの回転動力としてスプロケット２１に伝達する。例えば、スクリュー２を屋根Ｙの頂部から軒に向けて移動させる場合には、図４の左側から見てシャフト３ｃの回転方向は右回りとなる。このため、ギアボックス３ｂ３は、モータ３ａ１の回転動力を左回りにしてスプロケット２１に伝達する。
【００３３】
回転駆動部３ｂ４は、図４に示すように、屋根Ｙの頂部近傍に設置されると共にシャフト３ｃに固定されるスプロケット２５と、屋根Ｙの軒近傍に設置されるスプロケット２６と、スプロケット２５及びスプロケット２６に回し掛けられた無端ベルト状のラックギア２７と、スクリュー２の回転軸２ａに固定されると共にラックギア２７と噛合するピニオン２８とを備えている。
【００３４】
このような回転駆動部３ｂ４では、シャフト３ｃを介してモータ３ａ１の動力が伝達されてスプロケット２５が回転駆動されると、ラックギア２７がスプロケット２５及びスプロケット２６に回し掛けられた状態で回転され、ピニオン２８が回転駆動される。これによってピニオン２８が固定された回転軸２ａが回転駆動され、スクリュー２が回転される。
【００３５】
カバー３ｂ５は、直動駆動部３ｂ２、ギアボックス３ｂ３及び回転駆動部３ｂ４を覆っており、スクリュー２が移動可能なように、屋根Ｙの頂部から軒に向けて延びるスリットを有している。軸受部３ｂ６は、直動駆動部３ｂ２のスプロケット２２と、回転駆動部３ｂ４のスプロケット２６とを軸支している。
【００３６】
図５は、ガイド部４を側方から見た模式図である。この図に示すように、ガイド部４は、スクリュー２を後ろ側から覆う湾曲したフード状の押出部４ａと、スクリュー２の下方に設置される板部材４ｂとから構成されている。図１等に示すように、押出部４ａは、スクリュー２よりも屋根Ｙの頂部寄りに配置されており、左側ユニット３ａから右側ユニット３ｂに到達する長さを有している。また、押出部４ａは、スクリュー２の回転軸２ａを軸支した状態でスクリュー２に接続されており、スクリュー２と一緒に直動駆動部３ａ２及び直動駆動部３ｂ２によって移動されている。このような押出部４ａは、直動駆動部３ａ２及び直動駆動部３ｂ２によって屋根Ｙの頂部から軒に向けて移動されることで、屋根Ｙ上の雪を軒に向けて押し出す。
【００３７】
板部材４ｂは、押出部４ａの底部に取り付けられ、先端４ｂ１がスクリュー２の下方かつ軒側に向けて張り出されている。図１等に示すように、板部材４ｂは、押出部４ａの全長に亘って設けられている。さらに、板部材４ｂの先端４ｂ１は、鋸刃状の形状とされている。このような板部材４ｂは、押出部４ａと共に移動されることによって、スクリュー２の前方の雪を屋根Ｙから持ち上げる。
【００３８】
このような構成を有する本実施形態の除雪装置１は、例えば不図示のスイッチを作業者が操作することによってモータ３ａ１で電力が供給されて動力が発生する。モータ３ａ１で生成された動力は、左側ユニット３ａの直動駆動部３ａ２及び回転駆動部３ａ４に伝達され、さらにはシャフト３ｃを介して右側ユニット３ｂの直動駆動部３ｂ２及び回転駆動部３ｂ４に伝達される。
【００３９】
直動駆動部３ａ２及び直動駆動部３ｂ２に動力が伝達されると、シャフト３ｃが屋根Ｙの頂部から軒に向けて下降される。また、回転駆動部３ａ４に及び回転駆動部３ｂ４に動力が伝達されると、スクリュー２が図１の左側から見て右回りに回転駆動される。つまり、本実施形態の除雪装置１においては、作業者がスイッチ等の操作で指示を出すと、スクリュー２が回転しながら、屋根Ｙの頂部から軒に向けて移動される。
【００４０】
このときに、屋根Ｙに積もった雪は、まず図５に示すように、板部材４ｂによって持ち上げられる。続いて、持ち上げられた雪は、スクリュー２によってスクリュー２の軸方向に移動される。ここで、本実施形態の除雪装置１では、スクリュー２の左側領域Ｒａにおいては雪が左側に搬送され、スクリュー２の右側領域Ｒｂにおいては雪が右側に搬送され、例えば、カバー３ａ５及びカバー３ｂ５を乗り越えて屋根Ｙの側方に落下される。また、屋根Ｙの側方に落下しなくとも、スクリュー２の回転によって屋根Ｙ上の雪が左右に掻き分けられ、その後のスクリュー２の下降に伴って軒から落下される。
【００４１】
以上のような本実施形態の除雪装置１によれば、回転駆動されるスクリュー２が、巻き方向が異なる左側ブレード２ｂと右側ブレード２ｃとを備えている。このため、スクリュー２を回転させたときに、左側ブレード２ｂにおいて雪が移動される方向と、右側ブレード２ｃにおいて雪が移動される方向とが反対方向となる。したがって、本実施形態の除雪装置１によれば、雪を複数の方向に掻き分けることが可能となる。
【００４２】
また、本実施形態の除雪装置１においては、駆動機構３が、スクリュー２を移動させる動力を発生するモータ３ａ１と、モータ３ａ１の動力によってスクリュー２を回転させる回転駆動部３ａ４及び回転駆動部３ｂ４と、モータ３ａ１の動力によってスクリュー２を屋根Ｙの頂部から軒に向けて直動させる直動駆動部３ａ２及び直動駆動部３ｂ２とを備えている。このため、単一のモータ３ａ１によって、スクリュー２の回転と昇降との両方の動作を行うことができる。
【００４３】
また、本実施形態の除雪装置１においては、スクリュー２よりも屋根Ｙの頂部寄りに配置され、スクリュー２と一緒に直動駆動部３ａ２及び直動駆動部３ｂ２によって移動されることで屋根Ｙ上の雪を軒に向けて押し出す押出部４ａを備える。このため、スクリュー２で崩された雪が押出部４ａによって軒に向けて押し出され、屋根Ｙに雪が残存することを抑制することができる。
【００４４】
また、本実施形態の除雪装置１においては、押出部４ａの底部に取り付けられ、先端４ｂ１がスクリュー２の下方かつ軒側に向けて張り出された板部材４ｂを備える。このため、スクリュー２で掻き分ける雪を予め屋根Ｙから持ち上げておくことが可能となり、スクリュー２で容易に雪を左右に掻き分けることが可能となる。
【００４５】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００４６】
例えば、上記実施形態において、スクリュー２の左側領域Ｒａと右側領域Ｒｂとを脱着可能なユニットとし、この２つのユニットを任意の数だけ接続することでスクリュー２の長さを変更可能としても良い。これによって、屋根Ｙの大きさにスクリュー２の長さを容易に合わせることが可能となる。
【００４７】
また、上記実施形態においては、スクリュー２の左側領域Ｒａにおいて雪を左側に搬送し、右側領域Ｒｂにおいて右側に搬送する構成を採用している。しかしながら、本発明はこれに限定されるものではなく、例えば、左側領域Ｒａでの雪の搬送方向と右側領域Ｒｂでの雪の搬送方向とを上記実施形態と反対とし、中央に雪を集めて落下させても良い。このように、本発明によれば、任意の箇所に雪を落下させることが可能となる。
【００４８】
また、上記実施形態においては、スイッチ等を作業者が操作することによって、稼働される構成について説明した。しかしながら、例えば、積雪量を測定するセンサ等を設置し、このセンサの出力に基づいて稼働するようにしても良い。このとき、夜間等に稼働しない制御を行ったり、周囲の安全を確認するセンサの出力に応じた制御を行ったりしても良い。
【００４９】
なお、上記実施形態においては、スクリュー２の材質を特に限定はしていないが、例えば、プラスチックを用いることによって、軽量で安価な除雪装置とすることができる。
【符号の説明】
【００５０】
１……除雪装置、２……スクリュー、２ａ……回転軸、２ｂ……左側ブレード（ブレード）、２ｃ……右側ブレード（ブレード）、３……駆動機構、３ａ……左側ユニット、３ａ１……モータ、３ａ２……直動駆動部、３ａ３……ギアボックス、３ａ４……回転駆動部、３ａ５……カバー、３ａ６……軸受部、３ｂ……右側ユニット、３ｂ１……軸受部、３ｂ２……直動駆動部、３ｂ３……ギアボックス、３ｂ４……回転駆動部、３ｂ５……カバー、３ｂ６……軸受部、３ｃ……シャフト、４……ガイド部、４ａ……押出部、４ｂ……板部材、４ｂ１……先端、１１……スプロケット、１２……スプロケット、１３……駆動ベルト、１４……軸支部、１５……スプロケット、１６……スプロケット、１７……ラックギア、１８……ピニオン、２１……スプロケット、２２……スプロケット、２３……駆動ベルト、２４……軸支部、２５……スプロケット、２６……スプロケット、２７……ラックギア、２８……ピニオン、Ｒａ……左側領域、Ｒｂ……右側領域、Ｙ……屋根
【図１】
2015017377.tif 000003
【図２】
2015017377.tif 000004
【図３】
2015017377.tif 000005
【図４】
2015017377.tif 000006
【図５】
2015017377.tif 000007